(57)【要約】【課題】階段の段鼻並びに化粧踏み板の意匠性及び強度性さらには階段の施工性の向上を図る。【解決手段】踏み板固定部材１は、階段２の階段下地２０に埋設される一方で化粧踏み板３の段鼻３１が蹴上げ部２１より突出した状態で化粧踏み板３が固定支持される板状の支持部１０を備える。支持部１０の段鼻側の端部には、支持部１０の上下方向鉛直に配置される板状の段鼻部１１が備えられている。支持部１０の下面には、階段２の蹴上げ部２１に面して配置されるアングル部材１２と、階段下地２０に埋設されるアンカー部材１３が備えられている。支持部１０の段鼻部１１側の下面には、照明具４の取り付けが可能である。【選択図】図１
2019044376.tif 000002
【特許請求の範囲】
【請求項１】
階段の階段下地に化粧踏み板を固定支持する踏み板固定部材であって、
階段の階段下地に埋設される一方で化粧踏み板の段鼻が当該階段の蹴上げ部より突出した状態で当該化粧踏み板が固定支持される板状の支持部を備えたこと
を特徴とする踏み板固定部材。
【請求項２】
前記支持部の段鼻側の端部には、当該支持部の上下方向鉛直に配置される板状の段鼻部が備えられたことを特徴とする請求項１に記載の踏み板固定部材。
【請求項３】
前記支持部の段鼻側の端部には、前記支持部の下方向鉛直に配置される板状の段鼻部が備えられたことを特徴とする請求項１に記載の踏み板固定部材。
【請求項４】
前記段鼻部には、段鼻化粧板が配置されたことを特徴とする請求項３に記載の踏み板固定部材。
【請求項５】
前記支持部の下面には、前記階段の蹴上げ部に面して配置されるアングル部材が備えられたことを特徴とする請求項１から４のいずれか１項に記載の踏み板固定部材。
【請求項６】
前記支持部の下面には、前記階段下地に埋設されるアンカー部材が備えられたことを特徴とする請求項１から４のいずれか１項に記載の踏み板固定部材。
【請求項７】
前記アンカー部材は、棒状を成し、前記支持部の下面に対して傾斜配置されたことを特徴とする請求項６に記載の踏み板固定部材。
【請求項８】
前記支持部の段鼻側の下面には、照明具の取り付けが可能であることを特徴とする請求項１から７のいずれか１項に記載の踏み板固定部材。
【請求項９】
請求項１から８のいずれか１項に記載の踏み板固定部材を階段下地に固定した後に当該階段下地と当該踏み板固定部材の支持部とに化粧踏み板を接着固定することを特徴とする階段の施工方法。
【発明の詳細な説明】
【技術分野】
【０００１】
本発明は、階段の化粧踏み板が固定支持される部材並びにこれを用いた階段の施工方法に関する。
【背景技術】
【０００２】
階段の化粧踏み板は一般的には階段本体に水平に支持された状態で配置固定される。例えば、特許文献１に開示された化粧踏み板は階段本体のモルタル部に水平に支持された踏み板基材に配置固定されている。
【先行技術文献】
【特許文献】
【０００３】
【特許文献１】特開２００１−３５３２号公報
【発明の概要】
【発明が解決しようとする課題】
【０００４】
階段の化粧踏み板は、階段の外観の向上を図る観点から、その段鼻が踏み面から張り出した状態で階段本体の下地材に配置固定された後に、その表面が洗い出し仕上げされることがある。
【０００５】
しかしながら、階段において、段鼻が踏み面から張り出した状態で化粧踏み板を階段本体に設置させる場合、化粧踏み板の強度性の維持も考慮する必要がある。それゆえ、階段に適用される化粧踏み板の仕様（例えば厚みや材質）の選択枝が狭まり、階段の意匠性を妥協せざるをえなくなる。
【０００６】
また、化粧踏み板を階段本体において安定的に支持するには、特許文献１の踏み板基材のような比較的肉厚な下地材を予め介在させる必要があり、施工の手間やコストが掛かる。
【０００７】
本発明は、上記の事情に鑑み、階段の段鼻並びに化粧踏み板の意匠性及び強度性さらには階段の施工性の向上を図ることを課題とする。
【課題を解決するための手段】
【０００８】
そこで、本発明の一態様は、階段の階段下地に化粧踏み板を固定支持する踏み板固定部材であって、階段の階段下地に埋設される一方で化粧踏み板の段鼻が当該階段の蹴上げ部より突出した状態で当該化粧踏み板が固定支持される板状の支持部を備える。
【０００９】
本発明の一態様は、前記支持部の段鼻側の端部には、当該支持部の上下方向鉛直に配置される板状の段鼻部が備えられている。
【００１０】
本発明の一態様は、前記支持部の段鼻側の端部には、前記支持部の下方向鉛直に配置される板状の段鼻部が備えられている。
【００１１】
本発明の一態様は、前記段鼻部には、段鼻化粧板が配置されている。
【００１２】
本発明の一態様は、前記支持部の下面には、前記階段の蹴上げ部に面して配置されるアングル部材が備えられている。
【００１３】
本発明の一態様は、前記支持部の下面には、前記階段下地に埋設されるアンカー部材が備えられている。
【００１４】
本発明の一態様は、前記アンカー部材は、棒状を成し、前記支持部の下面に対して傾斜配置されている。
【００１５】
本発明の一態様は、前記支持部の段鼻側の下面には、照明具の取り付けが可能である。
【００１６】
本発明の一態様は、階段の施工方法であって、上記の踏み板固定部材を階段下地に固定した後に当該階段下地と当該踏み板固定部材の支持部とに化粧踏み板を接着固定する。
【発明の効果】
【００１７】
以上の本発明によれば、階段の段鼻並びに化粧踏み板の意匠性及び強度性さらには階段の施工性の向上を図ることができる。
【図面の簡単な説明】
【００１８】
【図１】（ａ）は本発明の第一実施形態における踏み板固定部材の斜視図、（ｂ）は当該踏み板固定部材の施工状況を説明した断面図。
【図２】（ａ）は第一実施形態の階段施工手順（Ｓ１１）の説明図、（ｂ）はその施工状況を説明した断面図。
【図３】（ａ）は第一実施形態の階段施工手順（Ｓ１２）の説明図、（ｂ）はその施工状況を説明した断面図。
【図４】（ａ）は第一実施形態の階段施工手順（Ｓ１３）の説明図、（ｂ）はその施工状況を説明した断面図。
【図５】（ａ）は第一実施形態の階段施工手順（Ｓ１４）の説明図、（ｂ）はその施工状況を説明した断面図。
【図６】（ａ）は本発明の第二実施形態における踏み板固定部材の斜視図、（ｂ）は当該踏み板固定部材の施工状況を説明した断面図。
【図７】（ａ）は第二実施形態の階段施工手順（Ｓ２１）の説明図、（ｂ）はその施工状況を説明した断面図。
【図８】（ａ）は第二実施形態の階段施工手順（Ｓ２２）の説明図、（ｂ）はその施工状況を説明した断面図。
【図９】（ａ）は第二実施形態の階段施工手順（Ｓ２３）の説明図、（ｂ）はその施工状況を説明した断面図。
【図１０】（ａ）は第二実施形態の階段施工手順（Ｓ２４）の説明図、（ｂ）はその施工状況を説明した断面図。
【図１１】照明具の取り付け手順の説明図。
【発明を実施するための形態】
【００１９】
以下に図面を参照しながら本発明の実施形態について説明する。
【００２０】
［第一実施形態］
図１に例示された本実施形態の踏み板固定部材１は、図２〜５に例示された階段２の階段下地２０に化粧踏み板３を固定支持するための踏み板固定部材である。
【００２１】
踏み板固定部材１は、図１に示されたように、階段２の階段下地２０に埋設される一方で化粧踏み板３の段鼻３１が蹴上げ部２１より突出した状態で化粧踏み板３が固定支持される板状の支持部１０を備える。
【００２２】
化粧踏み板３としては、階段に採用される周知の化粧踏み板が適用される。
【００２３】
支持部１０は、長辺が化粧踏み板３の長辺と同等である一方で短辺が化粧踏み板３の短辺よりも短い板状の鋼材からなる。前記鋼材としては、鉄鋼、アルミニウム合金、ステンレス鋼などに例示される周知の鋼材が適用される。
【００２４】
支持部１０の段鼻側の端部には、支持部１０の上下方向鉛直に配置される板状の段鼻部１１が備えられている。段鼻部１１は、支持部１０と同仕様の周知の鋼材からなり、溶接等により支持部１０と一体的に備えられている。
【００２５】
支持部１０の下面には、階段２の蹴上げ部２１に面して配置されるアングル部材１２と、階段下地２０に埋設されるアンカー部材１３が備えられている。
【００２６】
アングル部材１２は、支持部１０と同材質の断面略Ｌ字の鋼板からなる。そして、このアングル部材１２は、段鼻部１１と並行して支持部１０の長手方向に沿って支持部１０の下面において溶接等により備え付けられている。
【００２７】
アンカー部材１３は、支持部１０と同材質の丸棒に例示される棒状を成し、支持部１０の下面において複数備えられている。すなわち、アンカー部材１３は、支持部１０の長手方向に所定の間隔で並列し、さらに、支持部１０の一端側の下面から下方向鋭角に傾斜した状態で、支持部１０の下面に溶接等により備え付けられている。
【００２８】
また、支持部１０の段鼻部１１側の下面には、照明具４の取り付けが可能となっている。照明具４としては、例えば、図１１に示された周知のテープ型のＬＥＤ照明が適用される。
【００２９】
図１〜５，１１を参照しながら本実施形態の階段２の施工手順Ｓ１１〜Ｓ１４について説明する。
【００３０】
Ｓ１１：図２に示されたように、略階段状に形成された盛土２２の上面に、クラッシャーラン２３が敷設される。次いで、階段２の蹴上げ部２１に対応したクラッシャーラン２３の領域にブロック２４が配置される。さらに、このブロック２４の上面に、蹴上げブロック２５が配置される。蹴上げブロック２５は、同図（ａ）に示されたように、横型のコンクリートブロックから成り、上部片側壁部２５１が予め切り欠きされることにより、踏み板固定部材１のアンカー部材１３の設置空間が確保されている。そして、この蹴上げブロック２５の両脇空間に、後述のワイヤーメッシュ２７を水平支持するためのＬ字型の鉄筋２６が挿通配置される。
【００３１】
Ｓ１２：図３に示されたように、踏み板固定部材１のアングル部材１２が蹴上げブロック２５の側壁部に当接した状態で、踏み板固定部材１の支持部１０が当該側壁部の上面に載置される。このとき、踏み板固定部材１のアンカー部材１３は、図３（ｂ）に示されたように上部片側壁部２５１が切り欠きされた蹴上げブロック２５の側壁部に支持される。これにより、踏み板固定部材１は蹴上げブロック２５にて略水平に配置された状態となる。次いで、階段２の踏み面に対応したクラッシャーラン２３の領域に、後述のコンクリート層２８に埋設されるワイヤーメッシュ２７が敷設される。ワイヤーメッシュ２７は針金により鉄筋２６と適宜に結束されることにより略水平に支持される。
【００３２】
Ｓ１３：図４に示したように、ワイヤーメッシュ２７の領域にコンクリートが打設され、ワイヤーメッシュ２７が埋設された状態でコンクリート層２８が敷設される。本工程で得られるコンクリート層２８はその上面が踏み板固定部材１の支持部１０の上面と同一平面となるように施工される。
【００３３】
Ｓ１４：図１，５に示されたように、踏み板固定部材１，コンクリート層２８の表面に化粧踏み板３が敷設される。また、蹴上げブロック２５の側面（蹴上げ部２１）に化粧蹴上げ板３３が配置固定される。より具体的には、例えば、図１（ｂ）に示したように、先ず、蹴上げブロック２５の側面に化粧蹴上げ板３３が接着材３０により固定される。次いで、踏み板固定部材１の支持部１０及びコンクリート層２８の表面に化粧踏み板３が接着材３０により固定される。また、蹴上げブロック２５近傍のコンクリート層２８の表面に化粧踏み板３２が接着材３０により固定される。尚、化粧踏み板３，３２はその上面が踏み板固定部材１の段鼻部１１の上面と略同一平面となるように接着固定される。
【００３４】
そして、図１に示したように、踏み板固定部材１の支持部１０における段鼻部１１側の下面には、照明具４が支持部１０の長辺に沿って配置される。より具体的には、図１１に示したように、照明具４は、折り曲げ自在の周知の取り付け具４１により保持された状態で、支持部１０の下面にネジ等の固定具４２により固定される。例えば、同図（ａ）のように、９０°に屈曲された取り付け具４１が踏み板固定部材１の支持部１０の下面に固定具４２により固定される。次いで、同図（ｂ）に示したように、照明具４が前記下面の段鼻部１１とアングル部材１２との間に導入される。そして、同図（ｃ）に示したように、取り付け具４１の折り曲げにより照明具４が取り付け具４１に抱き込まれた状態で前記下面に取り付けられる。尚、照明具４は、踏み板固定部材１が蹴上げブロック２５に配置される際に、支持部１０の下面に予め取り付けがなされていてもよい。
【００３５】
以上の施工手順Ｓ１１〜Ｓ１４により図５に示された階段２が施工され、階段の段鼻並びに化粧踏み板の意匠性及び強度性さらには階段の施工性の向上が図られる。
【００３６】
すなわち、本実施形態の施工過程において、化粧踏み板３は、その段鼻の突出により蹴込みが確保された状態で階段２の踏み面に敷設されるので、階段２の外観性が向上する。また、支持部１０は板状の鋼材からなるので、化粧踏み板３の強度性の向上及び維持が図られる。さらに、踏み板固定部材１の支持部１０は施工過程で階段下地２０に埋設固定されるので、階段２に踏み面に蹴込みを確保させる際の化粧踏み板３の位置決めが容易となり、階段２の施工性が向上する。そして、従来の踏み板基材のような比較的肉厚な下地材を予め介在させる必要がないので、施工の手間やコストが大幅に削減される。
【００３７】
さらに、支持部１０の段鼻部１１は、鋼材からなり、支持部１０の上下方向鉛直に配置されたことにより、階段２の段鼻が金属独特の質感を呈するので、階段２の外観性がさらに向上する。また、支持部１０においては比較的肉厚の化粧踏み板３の配置が可能となり、この化粧踏み板３は支持部１０により補強性が確保されながら階段２の踏み面への敷設が可能となる。したがって、階段２に適用される化粧踏み板３の仕様の選択性が拡がり、顧客のニーズに柔軟に対応できる。
【００３８】
また、支持部１０の下面にはアングル部材１２が階段２の蹴上げ部２１に面するように備えられたことにより、階段２の踏み面に蹴込みを容易に確保可能となり、蹴込みを備えた階段２の施工性がさらに高まる。
【００３９】
さらに、支持部１０の下面にアンカー部材１３が備えられたことにより、階段下地２０に対する踏み板固定部材１の固着性が高まる。特に、アンカー部材１３は、支持部１０の下面に対して傾斜配置されたことにより前記固着性が向上する。
【００４０】
そして、支持部１０の段鼻部１１側の下面においては、照明具４の取り付けが可能であるので、顧客のニーズに応じて階段２の蹴込みの下面にて照明具４を任意に備え付けが可能となる。
【００４１】
［第二実施形態］
図６に例示された第二の実施形態の踏み板固定部材１は、段鼻部１１に代わりに段鼻部１６を備えたこと以外は、第一実施形態の踏み板固定部材１と同様の構成となっている。
【００４２】
段鼻部１６は、支持部１０を成す板状の鋼材の曲げ加工により、支持部１０の下方向鉛直に配置された状態で支持部１０と一体的に備えられている。
【００４３】
また、図６（ｂ）に示されたように化粧踏み板３の段鼻と段鼻部１６には図示省略の接着材により段鼻化粧板３４が接着される。
【００４４】
図６〜１０を参照しながら本実施形態の階段２の施工手順Ｓ２１〜Ｓ２４について説明する。本実施形態の施工手順は基本的には第一実施形態の施工手順と同じである。
【００４５】
Ｓ２１：図７に示されたように、略階段状に形成された盛土２２の上面に、クラッシャーラン２３が敷設される。次いで、階段２の蹴上げ部２１に対応したクラッシャーラン２３の領域に、ブロック２４が配置される。さらに、このブロック２４の上面に、蹴上げブロック２５が配置される。そして、第一実施形態と同様に、蹴上げブロック２５の両脇空間にＬ字型の鉄筋２６が挿通配置される。
【００４６】
Ｓ２２：図８に示されたように、第一実施形態の施工手順Ｓ１２と同様の要領により、蹴上げブロック２５に踏み板固定部材１が配置される。そして、階段２の踏み面に対応するクラッシャーラン２３の領域に、ワイヤーメッシュ２７が敷設される。
【００４７】
Ｓ２３：図９に示されたように、第一実施形態の施工手順Ｓ１３と同様の要領により、ワイヤーメッシュ２７が埋設された状態でコンクリート層２８が敷設される。
【００４８】
Ｓ２４：図１０に示されたように、第一実施形態の手順Ｓ１４と同様の要領により、蹴上げブロック２５，コンクリート層２８の表面に化粧蹴上げ板３３，化粧踏み板３が敷設される。尚、本施工手順においては、図６（ｂ）に示されたように、化粧踏み板３の段鼻３１と段鼻部１６には、接着材３０により段鼻化粧板３４が接着される。
【００４９】
そして、図６に示したように、踏み板固定部材１の支持部１０における段鼻部１６側の下面には、照明具４が支持部１０の長辺に沿って配置される。本実施形態においても、照明具４は、踏み板固定部材１が蹴上げブロック２５に配置される際に、支持部１０の下面に予め取り付けがなされていてもよい。
【００５０】
以上の施工手順Ｓ２１〜Ｓ２４により階段２が施工される。本実施形態の踏み板固定部材１とこれを用いた階段２の施工方法よれば、第一実施形態の踏み板固定部材１とこれを用いた階段２の施工方法と同様の効果が得られることは明らかである。
【００５１】
特に、本実施形態においては、支持部１０の段鼻側の端部に段鼻部１６が支持部１０の下方向鉛直に配置されたことにより、支持部１０に対して比較的肉薄の化粧踏み板３の設置が可能となる。そして、この化粧踏み板３も支持部１０により補強性が確保されながら階段２の踏み面に敷設できるので、第一実施形態と同様に、階段２に適用される化粧踏み板３の仕様の選択性が拡がる。
【００５２】
本発明は、以上の実施形態に限定されるものではなく、本発明の特許請求の範囲内で様々な態様で実施が可能である。
【符号の説明】
【００５３】
１…踏み板固定部材、１０…支持部、１１，１６…段鼻部、１２…アングル部材、１３…アンカー部材
２…階段、２０…階段下地、２１…蹴上げ部
３…化粧踏み板、３１…段鼻、３４…段鼻化粧板
４…照明具、４１…取り付け具、４２…固定具
【図１】
2019044376.tif 000003
【図２】
2019044376.tif 000004
【図３】
2019044376.tif 000005
【図４】
2019044376.tif 000006
【図５】
2019044376.tif 000007
【図６】
2019044376.tif 000008
【図７】
2019044376.tif 000009
【図８】
2019044376.tif 000010
【図９】
2019044376.tif 000011
【図１０】
2019044376.tif 000012
【図１１】
2019044376.tif 000013